(57)【要約】      （修正有）【課題】顔、上半身を確実に日除けすることができる日除けストールの提供。【解決手段】帽子の上に被り、顔の日除け用ストール１であって帽子の庇２にストールを取り付けるための帽子への固定具３としてヘアピン等、種々の物が用いられる。人の顎部でストールを頭部に固定するためにストールに取りつけた頭部の固定具４として紐７を用い、紐を顎下で結ぶ又、ストッパー８で固定するなどできる。そして袖部の日除けは先端１０に取り付けた手との固定具１１としてゴム紐等を使用する。【選択図】図２
0003140587.tif 000002
【実用新案登録請求の範囲】
【請求項１】
帽子の上に被り、顔の日除け用ストール１であって帽子の庇２にストールを取り付けるための帽子への固定具３と、人の顎部でストールを頭部に固定するためにストール１に取り付けた頭部への固定具４とからなることを特徴とする日除け用ストール。
【請求項２】
請求項１の頭部への固定具として、紐４を用い、この紐をストールの身頃の裏側に複数本のダーツ５を抓み、そのダーツ５の縫い代６に穴かがり７、もしくわ３ｍｍ巾か４ｍｍ巾位の布テープを縫い代６にループ状に縫い付け、これに紐を通し、通した紐の両端にストッパー８を設けたことを特徴とする請求項１記載の日除け用ストール。
【請求項３】
請求項１のストール１に腕の日除けのための袖部９を取り付け、さらにその袖部先端１０に手との固定具１１を設けたことを特徴とする請求項１、２、に記載された日除け用ストール。
【考案の詳細な説明】
【技術分野】
【０００１】    本考案は、日光の強い時に帽子の上に被り頭部や腕部などを日除けして涼しい風が肩や首に当たるように構成された日除け用のストールに関する。
【背景技術】
【０００２】    従来のストールは長方形を其のまま肩にかけるか、正方形のストールを三角形に折って寒さ避けに使用するか、風避けに肩又は頭から被って使用していた。
薄い布のストールはお洒落着として使用することが多かった。
【考案の開示】
【考案が解決しょうとする課題】
【０００３】    たとえば足腰が弱く手押し車の必要なお人は、日光の強い時に日除けのため、片手に傘、片手に手押し車を押して歩くのは難しい、まして風の有る時は日傘をたたむので暑い、帽子だけでは傘より暑いという問題があった。
【問題を解決するための手段】
【０００４】    本考案は請求項１に示すように帽子の上に被り、顔の日除け用ストールであって、帽子の庇にストールを取り付ける固定具と、人の顎部でストールを頭部に固定するためにストールに取り付けた紐とからなる日除けストールである。
ストールに取り付けた帽子への固定具、及び顎部での固定具によって顔の日除けを確実に行うことができる。また帽子の固定具についてはヘアピン、又は、帽子飛び防止の留め金、その他リボン等、色々の物が用いられる。
【０００５】    更に請求項２では、請求項１のストールの顎部を固定するために図１に示すようにストールの身頃に複数本のダーツを抓み、其のダーツの縫い代に穴かがりか、又は３ｍｍか４ｍｍ巾位のテープをループ状に縫い付けて紐を通す。通した紐の両端にストッパーを留める。
【０００６】    次の請求項３は、請求項１のストールに腕の日除けのための袖部を取り付け、さらにこの袖部先端に手との固定具を設けて腕や手の日焼けを除けることのできるストールであって其の固定具は、ゴムテープの輪を使用しても良いが、ゴムテープの端にファスナーを縫い付けても良い、又、手の平の大小に合わせられるようにゴムテープの両端にアジヤスターを設け、自由に寸法を変えられるようになっている。
身頃に取り付けた袖部の袖底は縫い合わせてないので、風は通るが日光は避けることの出来る日除け用ストールである。
【考案の効果】
【０００７】    本考案は以上説明したように構成されているので、以下に記載されるような効果を奏する。
【０００８】    足腰が弱く手押し車を片手に、傘を片手に歩くのは難しい、まして風ある日は傘をたたむので暑く、帽子だけでは傘より暑いので、日除け用ストールを帽子の上に被りピン複数本でストールと帽子を留め、次に手の平を固定具で留めて着用する、頭部を固定するために顎部に設けた紐で前端を適当に締めると日光は避けるし、風は通るし、両手で手押し車を押して楽に歩くことができる。
【０００９】  上述したように着用している帽子の上に被る顔の日除け用ストールであって、帽子の庇があるのでストールの布が首や肩に巻きつかず首、肩との間に空間ができるから風通しが良くなる。日差しが柔らかくなったら帽子だけになりストールを小袋に収納する、傘より軽くて待ち運びに便利である。
【００１０】    人の顎部で日除け用のストールを固定するための紐は、身頃の裏に抓んだダーツに紐を通す穴を設けているので、表に紐は出ない上、紐を締めた時ダーツを抓んだ所にフレアーが出来て綺麗にみえる。通した紐の両端にストッパーを取り付けたので、ストールの前端が自由に簡単に開閉でき、強い風にも飛ばされずにすむし、弱い風の時は前端を広く開けて歩くと日差しは避けて風は通り、涼しく歩く事ができる。
【００１１】      日除け用のストールの袖部は上から被せるだけで、袖底は縫い合わせが無く、袖部の先端に設けた手との固定具に指４本を差込み着用するので着脱も簡単で腕、手先とも影になり、袖底より風が入るように広げているので暑い日差の日でも楽である。
【００１２】      図１の日除け用ストールと、図３の袖部とを組み合わせて使用するか、又は、別々に適宜に使用することができるので便利である。成長盛りの子供、自転車の人、個別配達者、松葉杖を必要とする人達にはと特くに重宝である。
【考案を実施するための最良の形態】
【００１３】      考案の実施について、図面を参照して説明する。
図１は、本稿案の頭部と上半身を日除けにする斜視図である。
帽子の上に被る顔の日除け用ストール１であって帽子の庇２にストール１を取り付けるためのピン３を複数本使用する。頭部を固定するために紐４を使用して日除け用ストール１の前部を自由に開閉することが出来るようにしている。【００１４】人の顎部で日除け用ストール１を固定するために紐４をもうける。紐４を通す穴５は身頃に抓んだ複数本のダーツ５の縫い代６に穴かがり７を設けるか、又は、３ｍｍか４ｍｍ巾のテープをループ掛けにする。その他には身頃の紐通し位置に２ｃｍか３ｃｍ巾位の布テープなどを縫い付けて紐を通しても良い。通した紐４の端にストッパー８を取り付けストール１の前端が簡単に、自由に開閉できるようにしている。【００１５】    更に図２は図１のストール１に図３の袖部９を一体物として取り付けた斜視図である。図３は袖部の表面と裏面の正面図であって、図１の日除け用ストール１の身頃に袖部９を取り付け、更にその袖部９の先端１０に手との固定具１１を設ける、その固定具としてゴム紐の輪か、ゴム紐の端にファスナーを止めるか、又は、手の平の大小に合わせ易いようにアジヤスター１２を固定具としてとりつける。上半身が影になる日除け用ストールである。【００１６】    図３は袖部の正面図であって、この袖部の袖を日除け用ストール１に続けて取り付けるだけで無く、図１のストール１の身頃と、袖を別々に使用できるので重宝である。図３の袖底１３は縫い合わせが無く開いていて、袖の上部１４はゴムテープを使用している。
【図面の簡単な説明】
【００１７】
【図１】本考案の日除け用ストールで、頭と上半身を影にする斜視図である。
【図２】本考案の日除け用ストールで、身頃に袖部を取り付けた斜視図である。
【図３】本考案の日除け用ストールで、袖部の表面と裏面の正面図である。
【符号の説明】
１．  日除け用ストール
２．  帽子の庇
３．  帽子への固定具
４．  頭部への固定具（紐）
５．  ダーツ
６．  ダーツの縫目
７．  穴かがり
８．  ストッパー
９．  袖部
１０．  袖部の先端
１１、  手との固定具
１２．  アジヤスター
１３．  袖底
１４．  袖の上部
【図１】
0003140587.tif 000003
【図２】
0003140587.tif 000004
【図３】
0003140587.tif 000005